(57)【要約】【課題】【解決手段】流体用クイックコネクタが、第1の部品と第２の部品とを密封状態にラッチしており、これら部品の一方は透孔を、他方は先端から離間した突縁部を有している。リテイナーが、第１の部品の一端で横方向の孔部を通って装着可能であり、また、１対の脚部に支持された突出部によって第１の部品にラッチされる。リテイナーのフランジが、リテイナーを第１の部品に位置させるために、第１の部品の表面に係合されるように位置される。リテイナーの内方に配置されたアームは、第２の部品の一定の外径面に係合され、リテイナーが完全なラッチ位置にある時、ハウジングの孔の内外へと前記突縁部が移動するのを防止する。リテイナーの前記フランジは、前記脚部を、リテイナーのための減じられた軸方向の長さのために、非常に薄型にし得るように、リテイナーの脚部から離間している。
2006503246.tif 000002
【特許請求の範囲】
【請求項１】
先端部から離間し、径方向に拡大したフランジを有するエンドホームと、
第１の端面と第２の端面との間に延びた透孔、並びにこの透孔に直わる横方向の孔部を有するハウジングと、
壁部から延び、互いに離間した第１並びに第２の脚部を有するリテイナーであって、これら第１並びに第２の脚部が、前記リテイナーを前記ハウジングに着脱可能にラッチするように、ハウジングの横方向の孔部によって装着可能であるリテイナーと、
このリテイナーの前記第１並びに第２の脚部の内方に形成され、かつエンドホームの前記フランジの外径より短い距離互いに離間した第１並びに第２のアームと、
前記リテイナーに支持され、このリテイナーが、前記ハウジングにカップリングされると、このハウジングに摺動して係合可能な少なくとも１つのフランジとを具備する流体用クイックコネクタ。
【請求項２】
前記リテイナーの少なくとも１つのフランジは、前記第１並びに第２の脚部から軸方向に離間している請求項１のクイックコネクタ。
【請求項３】
前記ハウジングの前記第１の端面は、アパチャを規定しており、このアパチャは、リテイナーの前記第１並びに第２の脚部の端部を、このアパチャを通って前記ハウジングに対する前記リテイナーのラッチ位置に受けるようになっている請求項１のクイックコネクタ。
【請求項４】
前記ハウジングは、このハウジングから外方に突出し、互いに対向した側面を有するハウジングの第１の端面の平面をさらに具備する請求項１のクイックコネクタ。
【請求項５】
前記ハウジングの第１の端面の平面に設けられた前記アパチャは、ハウジングの前記横方向の孔部に対して開口している請求項４のクイックコネクタ。
【請求項６】
前記第１並びに第２のアームは、前記少なくとも１つのフランジと前記第１並びに第２の脚部との間を軸方向に実質的に延びている請求項１のクイックコネクタ。
【請求項７】
前記リテイナーの第１並びに第２の脚部に支持され、かつ前記リテイナーをハウジングの前記横方向の孔部の部分的な挿入位置にラッチするために、前記ハウジングに設けられた手段をさらに具備しており、前記リテイナーは、前記部分的な挿入位置にある時に、ハウジングの孔部へと前記エンドホームを完全に挿入可能にしている請求項１のクイックコネクタ。
【請求項８】
前記フランジ手段は、前記リテイナーに支持された２つのフランジを有している請求項１のクイックコネクタ。
【請求項９】
前記ハウジングの外側に支持されたショルダー部をさらに具備し、前記フランジ手段は、このショルダー部と係合可能である請求項１のクイックコネクタ。
【請求項１０】
前記ショルダー部は、前記ハウジングの外側の互いに対向する溝部によって規定されており、前記フランジは、２つのフランジを備えている請求項９のクイックコネクタ。
【請求項１１】
前記ハウジングの第１の端面へと通じている前記横方向の孔部の開口端をさらに具備し、
前記第１並びに第２のアームは、この横方向の孔部の開口端に配置される請求項１の流体用クイックコネクタ。
【請求項１２】
前記フランジ手段は、ハウジングの前記第１の端面に係合される請求項１１の流体用クイックコネクタ。
【請求項１３】
先端部から離間し、径方向に拡大したフランジを有するエンドホームを密封状態で受けるようになっている流体用クイックコネクタであって、
第１の端面と第２の端面との間に延びた透孔、並びに、この透孔に交わる横方向の孔部を有するハウジングと、
壁部から延び、互いに離間した第１並びに第２の脚部を有したリテイナーであって、前記第１並びに第２の脚部は、このリテイナーを前記ハウジングに着脱可能にラッチするように、ハウジングの前記横方向の孔部を通って装着可能なリテイナーと、
前記第１並びに第２の脚部の内方で前記リテイナーに形成され、エンドホームの前記フランジの外径より短い距離互いに離間した第１並びに第２のアームと、
前記第１並びに第２の脚部から離間して前記リテイナーに支持され、このリテイナーが前記ハウジングにカップリングされた時、ハウジングの外面と係合可能なフランジ手段とを具備し、この結果、前記ハウジングに対する前記エンドホームの軸方向への分離を防止する流体用クイックコネクタ。
【発明の詳細な説明】
【技術分野】
【０００１】
本発明は、一般的に、雄型コネクタ部品と雌型コネクタ部品とをカップリングさせる流体用クイックコネクタに関する。
【背景技術】
【０００２】
スナップ適合、即ちクイックコネクタは、幅広い用途に使用されており、特に、自動車産業での用途において、流体を搬送する複数の導管を接続するために使用されている。このようなクイックコネクタは、チューブ状の導管のような雄型コネクタ部品を、雌型コネクタ部品、即ちハウジングの相補的な孔中に確保するために、リテイナー、即ちロッキング部材を利用している。このようなリテイナーは、代表的には、軸方向に変位可能、若しくは径方向に変位可能な形式である。これら“軸方向に変位可能”、若しくは“径方向に変位可能”という用語は、雌型部品中を通る軸孔に対して用いられる。
【０００３】
軸方向に変位可能なリテイナーを有する代表的なクイックコネクタにおいて、このリテイナーは、雌型コネクタ部品のハウジングの孔内に装着可能である。このリテイナーは、径方向に角度をなして延びる複数の脚部を有する。これら脚部は、ハウジングの孔の軸方向のセンターラインへと内方に延びている。雌型部品の孔に密封状態で装着されるチューブ、即ち雄型部品が、リテイナーの脚部の内面に隣接する径方向の突縁部、即ちフランジを有している。シール並びにスペーサ部材と、軸受、即ちトップハットとが、雄型の口金がハウジング中でリテイナーの脚部とロック可能なように係合された時に、ハウジングと雄型の口金との間にシールを形成するように、リテイナーの前方の孔に代表的に装着されている。
【０００４】
また、前記径方向に変位可能なリテイナーは、前記雌型部品のハウジングの主透孔に対して横方向で形成され、アライメントされた孔、即ちアパチャによって径方向に変位可能であることが知られている。径方向に変位可能なリテイナーの例は、米国特許Ｎｏ．５，５４２，７１６と、５，７３０，４８１と、５，７８２，５０２と、５，８６３，０７７と、５，９５１，０６３とに開示されている。この径方向に変位可能なリテイナーには、下方に延びた１対の脚部が代表的に設けられている。これら脚部は、雄型コネクタ、即ち導管が、雌型コネクタの孔部に完全に着座されたされた時だけ、雄型導管の径方向の突縁部、即ちフランジの後方に摺動するような大きさである。これは、径方向に変位可能なリテイナーが、導管が雌型部品の孔に完全に挿入された時だけ、雌型部品中に完全に挿入され得るので、導管の完全な着座という支持を与えることと、導管並びに雌型部品の積極的なロッキング係合とを確実にしている。
【０００５】
上記の形式のリテイナーにもかかわらず、雌型のハウジング、即ち流体用コネクタの部品部分は、第１の端面から離間した１つ以上の環状鉤部を備えた細長いステムを代表的に有している。これら鉤部は、雌型のハウジングを導管の一端と接続させるために、鉤部を覆うようになっているホース、即ち導管との信頼のある係合を与えている。
【０００６】
横方向に装着され、径方向に変位可能なリテイナーと、軸方向に装着されるリテイナーとに関して、チューブの突縁部、即ちフランジの軸方向外端と、導入位置でのコネクタのハウジングの対向端との間の距離は、重要である。代表的に、リテイナーの長さは、リテイナーがラッチされた位置にあるときに、ハウジングのチューブ状部材の完全な挿入位置を補償する十分な長さでなければならない。さらに、リテイナーの長さは、チューブ状部材が、チューブ状突縁部の軸方向前方のハウジングでラッチするのを防止するような長さでなければならない。
【０００７】
上記の特徴は、限定的なスペースを有し、使用に適した短いクイックコネクタに与えられることができていない。
【発明の開示】
【発明が解決しようとする課題】
【０００８】
かくして、横方向に装着され、径方向に変位可能なリテイナーを有するクイックコネクタの、強い引出し力に対する抵抗と完全な挿入とを維持した軸方向への長さが短い薄型の流体用クイックコネクタを与えることが望ましい。
【課題を解決するための手段】
【０００９】
本発明は、完全な挿入の機能と強い引出し力に対する抵抗という、所要のクイックコネクタの特徴をさらに維持しつつ、既に発明された流体用クイックコネクタと比較して、軸方向の長さが減じられた薄型の流体用クイックコネクタである。
【００１０】
本発明の流体用クイックコネクタは、先端から離間し、径方向に拡大したフランジを有するエンドホームとともに使用可能である。このクイックコネクタは、第１の端面と第２の端面との間に延びた透孔を有するハウジングを備えている。このハウジングは、ハウジングの第１の端面に隣接し、前記透孔に直交した横方向の孔部を有している。リテイナーが、中間の端壁から延び、互いに離間した第１並びに第２の脚部を有している。これら第１並びに第２の脚部は、ハウジングの横方向の孔部を通って装着可能である。
【００１１】
前記第１並びに第２の脚部に支持されたロック部材が、前記リテイナーがハウジングに装着されると、ハウジングに摺動して係合可能である。このロック部材は、前記エンドホームをハウジング中の孔へと完全に挿入可能な一時的な送出位置と、ハウジング中で密封状態のエンドホームをロックする完全なラッチ位置とを規定するように、ハウジングの明確な２つの部分と係合可能である。
【００１２】
第１並びに第２のアームが、前記第１並びに第２の脚部の内側で本体に形成されている。これら第１並びに第２のアームは、エンドホームのフランジがハウジングから分離するのを阻止するように、エンドホームの環状フランジの外径より短い距離互いに離間している。
【００１３】
本発明の一態様において、少なくとも１つのフランジが、リテイナーに支持されており、前記リテイナーがハウジングにカップリングされるようにハウジングに摺動して係合可能である。本発明の他の態様で、側方へと互いに離間した２つのフランジを備えた前記少なくとも１つのフランジは、ハウジングに対して軸方向の位置で、リテイナーの第１並びに第２のアームの位置に対するハウジングの外面と係合可能である。この結果、エンドホームをハウジング内の孔へと挿入する前に、リテイナーが完全なラッチ位置にあると、ハウジング中の孔に装着されたシール部材とエンドホームの先端との間の接触は防止される。この非シール挿入を阻止する特徴が、限定的なスペースの用途におけるこのコネクタの使用を容易にするために、ハウジングの全長を減じるリテイナーの軸方向の短さ与えている。
【００１４】
一態様において、前記少なくとも１つのフランジ、又は１対のフランジは、前記リテイナーの端部に形成され、かつハウジングの第１の端面の外面と係合可能である。
【００１５】
他の態様において、前記少なくとも１つのフランジ、又は１対のフランジは、ハウジングの端面から離間したハウジングの外側の側方溝部に係合されるように、リテイナーに支持されている。
【００１６】
他の態様において、本発明は、チューブのエンドホームを密封状態にロックして受けるようになっている、以上に規定したようなハウジングとリテイナーとで形成された流体用クイックコネクタである。
【００１７】
本発明の流体用クイックコネクタは、エンドホームをハウジングの孔へと挿入する前に、リテイナーが完全なラッチ位置にあると、エンドホームとハウジングの孔内に装着されたシールとの間の接触を防止し、一方、クイックコネクタのハウジングの孔へとエンドホームを完全に挿入する機能を与えることに限り、流体用クイックコネクタの全ての必要性を備えている。この結果、クイックコネクタのための誤ったシール指示を防止する。同時に、本発明の流体用クイックコネクタは、軸方向の長さが減じられ、この結果、限定されたスペースを有するクイックコネクタの使用を容易にする。
【００１８】
本発明の様々な特徴、効果、並びに他の使用は、以下の詳細な説明と図面とを参照することによって、より明確になるであろう。
【発明を実施するための最良の形態】
【００１９】
図面の図１ないし図１１を参照すると、ポンプ、燃料フィルタ、弁、弁マニホルド等の流体用動作装置に支持された導管、チューブ、並びにエンドホーム(endforms)のような２つの流体用動作部材を相互接続するのに適した流体用クイックコネクタ１０が示されている。
【００２０】
かくして、本発明のクイックコネクタ１０は、以下に述べる一例では、保持手段１６によって密封状態のロック位置に互いにシール結合して保持されている第１の部品１２と第２の部品１４とに組み込まれているであろう。この第１の部品１２と第２の部品１４との各々は、上述されているように、導管、ポンプ、燃料フィルタのような流体用動作装置の端部、即ちエンドホームとして、若しくは、導管を保持する鉤型等によって、導管のような流体用動作装置を受けるように、この流体用動作装置に流体的にカップリングされる分離部材として形成されることができる。
【００２１】
前記第１の部品１２と第２の部品１４とのエンドホームの特別な形状は、細長い金属、又はプラスチックのチューブの端部に、若しくは流体使用装置から外方に延びたステムに一体的に形成されることができる。
【００２２】
前記第１の部品１２は、図１０に詳細に示されているように、大径の第１の開口端２４から小径の第２の開口端２６へと延び、軸方向に延びた細長い段付きの内孔２２を有したハウジング２０を備えている。この段付きの内孔２２は、ハウジング２０の第１の開口端２４から第２の小径の第２の段付きの孔部２３へと延びている第１の孔部２１を有している。さらなる小径の第３の段付きの孔部２５が、前記第２の段付きの孔部２３の一端部から軸方向に延び、また、ハウジング２０の第２の開口端２６へと延びているさらに小さな第４の段付きの孔部２７に連通している。
【００２３】
従来のように、トップハット(top hat)、即ち軸受３４が、前記第１の孔部２１の一端近くの第２の段付きの孔部２３中に装着されている。また、シール手段３０が、トップハット３４の一端と第３の段付きの孔部２５との間の第２の段付きの孔部２３中に装着されている。このシール手段３０は、スペーサ部材３３によって離間された１つ以上のＯ-リングシール３１により構成され得る。
【００２４】
前記第１の段付きの孔部２１の内径面は、雄型部品、即ち口金１４に形成された径方向に拡大したフランジ、即ち突縁部(upset bead)１８の外径面を摺動可能に受ける大きさである。さらに、前記シール部材３１，３３とトップハット３４との内径面は、径方向に拡大したフランジ１８から雄型部品１４の先端１３へと延びている雄型部品１４の端部１１の外径面に密封状態で係合する大きさである。第３の段付きの孔部２５は、雄型部品１４が、図１１に示され、かつ以下で説明されているように段付きの孔２２中へと完全に挿入された時に、雄型部品１４の端部１１の外径面にぴったりと係合される大きさの内径を有している。
【００２５】
図１と図５ないし図７とに示されているように、前記ハウジング２０は、前記第１の開口端２４に隣接した拡大端部を有している。参照符号６０で示されたこの拡大端部は、前記第２の孔部２３を囲んでいるハウジング２０の外径面から横方向に少なくとも拡張されている。この拡大端部６０は、互いに対向した長い第１の主側面６２，６４と、互いに対向した第２の中間側面６６，６８とによって規定されている。これら側面の全ては、平面形状を有するように図示されており、このことは、単に一例であることは理解されるであろう。
【００２６】
一般的にスロット７０の形状の中間アパチャが、前記側面６２からハウジング２０の第１の開口端２４へと内方に延びるように拡大端部６０中に形成されている。第１の開口端２４のアパチャの反対側のエッジは、前記側面６４によって閉じられている。
【００２７】
図５と図６とに示されているように、前記中間側面６６，６８は、ハウジング２０の隣接部分の外径面から横方向外方に突出している。互いに対向した１対の内方スロット７２，７４が、図５に示されているような側面６４の開口端７６，７８へと拡大端部６０を通って夫々突出している。
【００２８】
保持手段１６が、側方ロッキング突出部(rocking projections)を有する径方向に変位可能なリテイナーとして、単に一例として示されている。このリテイナー１６は、例えば、ポリケトンのような適切なプラスチックの一体成型体で形成されていることが好ましい。また、このリテイナー１６は、再び一例により、平面形状の特徴を有する端壁８０を有している。第１並びに第２の側方脚部８２，８４が、この端壁８０の両側から突出している。フック形状のラッチ型の突出部８６，８８が、以下に説明されているように、リテイナー１６をハウジング２０にラッチするために、各側方脚部８２，８４の先端近くに形成されている。
【００２９】
図６に示されているように、軸方向に延びた１対のノッチ９０，９２が、ハウジング２０の前記拡大端部６０に形成され、また、拡大端部６０の全奥行を実質的に延びて、孔２２の第１の開口端２４と連通するように軸方向内方に延びている。これらノッチ９０，９２は、自身に形成された受け端部９４，９６を夫々有している。これら受け端部は、リテイナー１６の側方脚部８２，８４のフック形状の突出部８６，８８の形状に相補的な形状である。これらフック形状の突出部８６，８８とノッチ９０，９２とは、図１，８，９，並びに１０に示されているように、ハウジング２０へのリテイナー１６のための一時的な収納、又は送出(shipping)位置を規定するように協働する。この位置で、リテイナー１６は、使用の前に、送出と収納とのためにハウジング２０にしっかりと装着される。同時に、前記第２の部品１４が、図１と図１１とに示されているように、ハウジング２０の段付きの内孔２２へと完全な密封状態で挿入される位置に、ハウジング２０の第１の開口端２４を通って挿入されることができる。
【００３０】
前記第２の部品１４が、孔２２中に完全に挿入される前に、前記リテイナー１６が、図１に示された一時的な送出位置から、図１０に示された完全な挿入位置へとさらに挿入されると、リテイナー１６に支持された径方向フランジの係合手段１００が、第２の部品１４の拡大された突縁部１８に直交し、第２の部品１４のハウジング２０への完全な挿入を防止するであろう。
【００３１】
前記径方向フランジの係合手段１００は、互いにほぼ平行に離間し、かつリテイナー１６の端壁８０から下方に延びている１対のアーム１０２，１０４によって規定されている。各アーム１０２，１０４は、第２の部品１４の端部１１のほぼ一定な直径面に係合するようになっている拡大端部１０６，１０８を有している。これら拡大端部１０６，１０８は、アーム１０２，１０４が第２の部品１４のチューブ状の端部１１の外径面に摺動可能なように径方向外方に広げられ、そして、前記外径面に固定するようにスナップバック(snap back)適合するようになっている。アーム１０２，１０４間の内側エッジ１１０が、第２の部品１４のチューブ状端部１１の外径に対して相補的な内径を有するほぼ円形の断面を規定している。この内側エッジ１１０の直径は、第２の部品１４の突縁部、即ちフランジの外径より小さいことに注意するべきである。このようにして、第２の部品１４をハウジング２０の孔２２へと完全に挿入する前に、リテイナー１６が、図８ないし図１０に示されている完全なラッチ位置へと挿入されると、アーム１０２，１０４は、第２の部品１４の突縁部１８がハウジング２０の開口端２４中へと入るのに対する障壁を規定する。
【００３２】
一方、前記リテイナー１６が、ハウジング２０から離れる、即ち図１に示されている送出位置にあると、第２の部品１４の突縁部１８は、ハウジング２０の孔２２の開口端２４を通って、図１１に示されている密封状態の完全な挿入位置へと挿入されることができる。この位置で、ハウジング２０へのリテイナー１６の完全な挿入は、フック状の突出部８６，８８を、ハウジング２０の拡大端部６０の開口部７２，７４と開口端７６，７８とを通って摺動するのを可能にし、この結果、図１１に示されている完全にラッチされた位置にリテイナー１６をロックするように、拡大端部６０の側面６４の周辺部に引っ掛けることを可能にする。
【００３３】
前記リテイナー１６は、１対の側方フランジ、即ちウィング１２０，１２２によって、図１に示されている送出位置、若しくは、図１０又は図１１に示されている完全にラッチされた位置で、ハウジング２０に対する固定位置にさらに維持されている。これらウィング１２０，１２２は、薄く、即ち図１と図２とに示されているように、リテイナー１６の端壁８０の各エッジからの広がり、即ち突出部を有している。側方ウィング１２０，１２２は、これらウィング１２０，１２２が、図１に示されているように、拡大端部６０の外面の外方に配置可能なように、わずかな距離だけリテイナー１６の側方脚部８２，８４から軸方向に離間している。
【００３４】
図１２ないし図２１を参照すると、ポンプ、燃料フィルタ、弁、マニホルド等の流体用動作装置に支持された導管、チューブ、並びにエンドホームのような２つの流体用動作部材を相互接続するのに適した流体用クイックコネクタ２１０の他の態様が示されている。
【００３５】
この態様のクイックコネクタ２１０は、以下の一例では、保持手段２１６によって密封状態のロック位置に互いにシール結合して保持されている第１の部品２１２と第２の部品２１４とに組み込まれているであろう。この第１の部品２１２と第２の部品２１４との各々は、上述されているように、導管、ポンプ、燃料フィルタ等の流体用動作装置の端部、即ちエンドホームとして、若しくは、導管を保持する鉤型等によって、導管のような流体用動作装置を受けるように、流体用動作装置に流体的にカップリングされる分離部材として形成されることができる。
【００３６】
前記第１の部品２１２と第２の部品２１４とのエンドホームの特別な形状は、細長い金属、又はプラスチックのチューブの端部に、若しくは、流体使用装置から外方に延びたステムに一体的に形成されることができる。
【００３７】
前記第１の部品２１２は、図２０と図２１とに詳細に示されているように、大径の第１の開口端２２４から小径の第２の開口端２２６へと延び、軸方向に延びた細長い段付きの内孔２２２を有したハウジング２２０を備えている。この段付きの孔２２２は、ハウジング２２０の第１の開口端２２４から第２の小径の第２の段付きの孔部２２３へと延びている第１の孔部２２１を有している。さらに小径の第３の段付きの孔部２２５が、前記第２の段付きの孔部２２３の一端から軸方向に延び、また、ハウジング２２０の第２の開口端２２６へと延びているさらに小さな第４の段付きの孔部２２７に連通している。
【００３８】
従来のように、トップハット、即ち軸受２３４が、前記第１の孔部２２１の一端近くの第２の段付きの孔部２２３中に装着されている。また、シール手段２３０が、トップハット２３４の一端と第３の段付きの孔部２２５との間の第２の段付きの孔部２２３中に装着されている。シール手段２３０は、スペーサ部材２３３によって離間された１つ以上のＯ-リングシール２３１により構成され得る。
【００３９】
前記第１の段付きの孔部２２１の内径面は、雄型部品、即ち口金２１４に形成された径方向に拡大されたフランジ、即ち突縁部２１８の外径面を摺動可能に受ける大きさである。さらに、前記シール部材２３１，２３３とトップハット２３４との内径面は、径方向に拡大されたフランジ２１８から雄型部品２１４の先端２１３へと延びた雄型部品２１４の端部２１１の外径面に密封状態で係合される大きさである。前記第３の段付きの孔部２２５は、雄型部品２１４が、図２１に示され、かつ以下に説明されているように、段付きの孔２２２へと完全に挿入された時に、雄型部品２１４の端部２１１の外径面にぴったりと係合される大きさの内径を有している。
【００４０】
図１２と図１５ないし図１７とに示されているように、前記ハウジング２２０は、第１の開口端２２４に隣接した端部２６０を有している。この端部は、第２の孔部２２３を囲んでいるハウジング２２０の外径面から横方向に少なくとも拡張されることができる。また、この端部２６０は、互いに対向した長い第１の主側面２６２，２６４と、互いに対向した第２の中間側面２６６，２６８とによって規定されている。これら側面の全ては、平面形状を有するように図示されており、このことが、単に一例であることことは理解されるであろう。
【００４１】
一般的にスロット２７０の形状の中間アパチャが、前記側面２６２からハウジング２２０の第１の開口端２２４へと内方に延びるように端部２６０中に形成されている。第１の開口端２２４のアパチャ２７０の反対側のエッジは、前記側面２６４によって閉じられている。
【００４２】
図１５と図１６とに示されているように、前記中間側面２６６，２６８は、ハウジング２２０の隣接部分の外径面から横方向外方に突出している。互いに対向した１対の内方スロット２７２，２７４が、図１５に示されているように、側面２６４の開口端２７６，２７８へと端部２６０を通ってそれぞれ突出している。
【００４３】
図１２，１５，及び１７ないし２１に示されているように、前記ハウジング２２０は、ハウジング２２０の端部２６０の一端と、ハウジング２２０から径方向外方に突出しているフランジ２７９との間に形成され、かつ拡大された端部２６０の一端から軸方向に離間した互いに側方で対向した１対の凹部、即ち溝部を有している。
【００４４】
以下ではリテイナー２１６である保持手段２１６が、側方ロッキング突出部を有した径方向に変位可能なリテイナーとして、単に一例として示されている。このリテイナー２１６は、例えば、ポリケトンのような適切なプラスチックの一体成形体で形成されていることが好ましい。また、このリテイナー２１６は、再び単に一例により、アーチ形状の特徴を有する端壁２８０を有している。第１並びに第２の側方脚部２８２，２８４が、この端壁２８０の両側から突出している。フック形状のラッチ型の突出部２８６，２８８が、以下に説明されているように、リテイナー２１６をハウジング２２０にラッチするために、各側方脚部２８２，２８４の先端近くに形成されている。
【００４５】
図１２ないし図１６に示されているように、軸方向に延びた１対のノッチ２９０，２９２が、ハウジング２２０の端部２６０に形成され、また、拡大された端部２６０の全奥行へと実質的に延び、孔２２２の第１の開口端２２４と連通するように軸方向内方に延びている。これらノッチ２９０，２９２は、自身に形成された受け端部２９４，２９６を夫々有している。これら受け端部は、リテイナー２１６の側方脚部２８２，２８４のフック形状の突出部２８６，２８８の形状と相補的な形状である。これらフック形状の突出部２８６，２８８とノッチ２９０，２９２とは、図１２ないし図１８に示されているように、ハウジング２２０へのリテイナー２１６のための一時的な収納、又は送出位置を規定するように協働する。この位置で、リテイナー２１６は、使用の前に、送出と収納とのためにハウジング２２０にしっかりと装着される。同時に、前記第２の部品２１４が、図２１に示されているように、ハウジング２２０の段付きの孔２２２へと完全な密封状態で挿入される位置に、ハウジング２２０の第１の開口端２２４を通って挿入されることができる。
【００４６】
前記第２の部品２１４が、孔２２２へと完全に挿入される前に、前記リテイナー２１６が、図１２に示されている一時的な送出位置から、図２０に示されている完全な挿入位置へとさらに挿入されると、リテイナー２１６に支持された径方向フランジの係合手段３００が、第２の部品２１４の拡大された突縁部、即ちフランジ２１８に直交し、ハウジング２２０への第２の部品２１４の完全な挿入を防止するであろう。
【００４７】
前記径方向フランジの係合手段３００は、互いにほぼ平行に離間し、リテイナー２１６の端壁２８０から下方に延びている１対のアーム３０２，３０４によって規定されている。各アーム３０２，３０４は、第２の部品２１４の端部２１１のほぼ一定の直径に係合するようになっている拡大端部３０６，３０８を有している。これら拡大端部３０６，３０８は、アーム３０２，３０４が第２の部品２１４のチューブ状端部２１１の外径面に摺動可能なように径方向外方に進められ、そして、この外径面にスナップバック適合するようになっている。アーム３０２，３０４間の内側エッジ３１０が、第２の部品のチューブ状端部２１１の外径に対して相補的な内径を有するほぼ円形の断面を規定している。この内側エッジ３１０の直径は、第２の部品２１４の突縁部、即ちフランジ２１８の外径より小さいことに注意するべきである。このようにして、第２の部品２１４をハウジング２２０の孔２２２へと完全に挿入する前に、リテイナー２１６が、図２０に示されている完全なラッチ位置へと挿入されると、アーム３０２，３０４は、第２の部品２１４の突縁部２１８がハウジング２２０の開口端２２４へと入るのに対する障壁を規定する。
【００４８】
一方、前記リテイナー２１６が、ハウジング２２０から離れ、即ち図１に示されている送出位置にあると、第２の部品２１４の突縁部２１８は、図２１に示されている密封状態の完全な挿入位置へと、ハウジング２２０の孔２２２の開口端２２４を通って挿入されることができる。この位置で、ハウジング２２０へのリテイナー２１６の完全な挿入は、フック状の突出部２８６，２８８を、ハウジング２００の拡大端部の開口部２７２，２７４と開口端２７６，２７８とを通って摺動するのを可能にし、この結果、図２１に示されている完全なラッチ位置にリテイナー２１６をロックするように、拡大端部２６０の側面２６４の周辺部に引っ掛けることを可能にする。
【００４９】
前記リテイナー２１６は、少なくとも１つの、好ましくは１対のフランジ３２０，３２２によって、図１２に示されている送出位置、若しくは、図２０又は２１に示されている完全なラッチ位置で、ハウジング２２０に対する所定の位置に軸方向でさらに維持されている。これらフランジ３２０，３２２は、図１２，１３，及び１４に示されているように、リテイナー２１６の端壁２８０の各端部から突出、即ち延びている。これらフランジ３２０，３２２は、リテイナー２１６の側方脚部２８２，２８４から軸方向に離間している。この結果、フランジ３２０，３２２は、
図１２に示されている送出位置、若しくは完全なラッチ位置で、フランジ２７９と拡大端部２６０との間のハウジング２２０の溝部、即ち凹部２７５，２７７に、ショルダー部３２３を係合可能である。
【００５０】
要約すると、軸方向の長さが減じられた流体用クイックコネクタが開示されている。この結果、制限された、即ち限定されたアクセススペースを有する使用場所での流体用クイックコネクタの使用が可能である。
【図面の簡単な説明】
【００５１】
【図１】本発明に従ったクイックコネクタの一態様の部分的に外された斜視図である。
【図２】図１に示されたリテイナーの斜視図である。
【図３】図２に示されたリテイナーの一側の正面図である。
【図４】図２に示されたリテイナーの他側の正面図である。
【図５】図１に示されたクイックコネクタのハウジングの下面を示す正面図である。
【図６】図１に示されたハウジングの一端を示す正面図である。
【図７】図６の７−７線に沿って一般的に切断された断面図である。
【図８】送出位置に示されたリテイナーと、完全に挿入かつラッチされていない位置に配置されたチューブとを備えた、図１に示されたクイックコネクタの側方の正面図である。
【図９】図８に示されたクイックコネクタの正面の平面図である。
【図１０】図９に１０−１０線に沿って切断された一般的な断面図である。
【図１１】図１０のクイックコネクタに類似しているが、完全にラッチされた位置に示されたチューブのエンドホームとリテイナーとを備えた細長い断面図である。
【図１２】本発明に従ったクイックコネクタの他の態様を部分的に外した斜視図である。
【図１３】図１２に示されたリテイナーの一側の斜視図である。
【図１４】図１２に示されたリテイナーの他側の斜視図である。
【図１５】図１２に示されたクイックコネクタのハウジングの下面図である。
【図１６】図１２に示されたハウジングの端面図である。
【図１７】図１６の１７−１７線に沿って一般的に切断された断面図である。
【図１８】送出位置に示されたリテイナーと、完全に挿入かつラッチされていない位置に示されたチューブとを備えた図１に示されたクイックコネクタの側面図である。
【図１９】図１８に示されたクイックコネクタ平面図である。
【図２０】図１９の２０−２０線に沿って一般的に切断された断面図である。
【図２１】図２０と類似するが、しかし、完全にラッチされた位置に示されたチューブのエンドホームとリテイナーとを備えた細長い断面図である。
【図１】
2006503246.tif 000003
【図２】
2006503246.tif 000004
【図３】
2006503246.tif 000005
【図４】
2006503246.tif 000006
【図５】
2006503246.tif 000007
【図６】
2006503246.tif 000008
【図７】
2006503246.tif 000009
【図８】
2006503246.tif 000010
【図９】
2006503246.tif 000011
【図１０】
2006503246.tif 000012
【図１１】
2006503246.tif 000013
【図１２】
2006503246.tif 000014
【図１３】
2006503246.tif 000015
【図１４】
2006503246.tif 000016
【図１５】
2006503246.tif 000017
【図１６】
2006503246.tif 000018
【図１７】
2006503246.tif 000019
【図１８】
2006503246.tif 000020
【図１９】
2006503246.tif 000021
【図２０】
2006503246.tif 000022
【図２１】
2006503246.tif 000023
【手続補正書】
【提出日】平成17年6月30日(2005.6.30)
【手続補正１】
【補正対象書類名】特許請求の範囲
【補正対象項目名】請求項１
【補正方法】変更
【補正の内容】
【請求項１】
先端部から離間し径方向に拡大したフランジを有するエンドホームと、
第１の端面と第２の端面との間に延びた透孔、並びにこの透孔に交わる横方向の孔部を有するハウジングと、
壁部から延び、互いに離間した第１並びに第２の脚部を有するリテイナーであって、これら第１並びに第２の脚部が、前記リテイナーを前記ハウジングに着脱可能にラッチするように、前記ハウジングと係合可能であるリテイナーと、
このリテイナーの前記第１並びに第２の脚部の内方に形成され、かつエンドホームの前記フランジの外径より短い距離互いに離間した第１並びに第２のアームと、
前記第１並びに第２の脚部から前記ハウジングの長軸に沿った方向へと長手方向に離間してリテイナーに支持され、このリテイナーが、前記ハウジングにカップリングされた時に、ハウジングの外面と係合可能なフランジ手段とを具備し、このフランジ手段は、前記エンドホームを前記透孔へと挿入する前に、前記リテイナーが前記ハウジングにラッチされた時、前記フランジ手段とエンドホームの前記先端との間のシール係合を防止するように、前記第１並びに第２のアームを位置付ける流体用クイックコネクタ。
【手続補正２】
【補正対象書類名】特許請求の範囲
【補正対象項目名】請求項２
【補正方法】変更
【補正の内容】
【請求項２】
前記リテイナーの前記第１並びに第２の脚部は、前記リテイナーを前記ハウジングに着脱可能にラッチするように、ハウジングの前記横方向の孔部を通って装着可能である請求項１のクイックコネクタ。
【国際調査報告】
2006503246.tif 000024
2006503246.tif 000025